(57)【要約】【課題】寸法の異なる多品種の電池を収納できる電池トレイを提供する。【解決手段】電池トレイは、寸法の異なる多品種の電池９を収納可能な電池トレイであって、開口部と、前記開口部の下方に配置された収納部とを備える。前記開口部は、平面視において点対称に形成された第１規制壁１１１Ａおよび第２規制壁１１１Ｂを含み、前記収納部は、平面視において点対称に形成された第１載置部２１１Ａおよび第２載置部２１１Ｂを含む。前記第１規制壁１１１Ａおよび第２規制壁１１１Ｂの対称中心と、前記第１載置部２１１Ａおよび第２載置部２１１Ｂの対称中心とは、平面視において一致しており、前記第１載置部２１１Ａと前記第２載置部２１１Ｂとの間隔は、前記開口部に向かうにつれて広がっている。【選択図】図１０
2013243049.tif 000002
【特許請求の範囲】
【請求項１】
寸法の異なる多品種の電池を収納可能な電池トレイであって、
開口部と、
前記開口部の下方に配置された収納部とを備え、
前記開口部は、平面視において点対称に形成された第１および第２規制壁を含み、
前記収納部は、平面視において点対称に形成された第１および第２載置部を含み、
前記第１および第２規制壁の対称中心と、前記第１および第２載置部の対称中心とは、平面視において一致しており、
前記第１載置部と前記第２載置部との間隔は、前記開口部に向かうにつれて広がっており、
前記第１規制壁は、前記電池の幅方向の一方側である第１幅方向側において、前記電池の厚さ方向の一方側である第１厚さ方向側で前記電池と接し、
前記第２規制壁は、前記第１幅方向側と反対側の第２幅方向側において、前記第１厚さ方向側の反対側である第２厚さ方向側で前記電池と接し、
前記第１載置部は、前記第１幅方向側において、前記第２厚さ方向側で前記電池と接し、
前記第２載置部は、前記第２幅方向側において、前記第１厚さ方向側で前記電池と接する、電池トレイ。
【請求項２】
前記第１および第２規制壁は、前記電池の幅が大きくなるにつれて、前記第１および第２規制壁の対称中心から遠くの点において前記電池と接する、請求項１に記載の電池トレイ。
【請求項３】
前記第１および第２載置部の少なくとも一部は、平面視において前記第１および第２規制壁よりも、前記第１および第２規制壁の対称中心側に形成されている、請求項１または２に記載の電池トレイ。
【請求項４】
前記開口部は、前記収納部に収納できる電池のうち最も幅の大きい電池に前記第１幅方向側において前記第２厚さ方向側で接する第３規制壁と、前記最も幅の大きい電池に前記第２幅方向側において前記第１厚さ方向側で接する第４規制壁とをさらに備える、請求項１〜３のいずれか一項に記載の電池トレイ。
【請求項５】
前記第３および第４規制壁は、平面視において互いに平行な直線の一部であり、
前記第３および第４規制壁の間隔は、前記電池の厚さと等しい、請求項４に記載の電池トレイ。
【請求項６】
前記第１および第２載置部は、傾斜面である、請求項１〜５のいずれか一項に記載の電池トレイ。
【請求項７】
前記第１および第２載置部は、錐体の一部である、請求項１〜５のいずれか一項に記載の電池トレイ。
【請求項８】
前記第１および第２載置部は、円錐の一部である、請求項７に記載の電池トレイ。
【請求項９】
前記収納部は、前記電池の幅方向の両側に形成され、前記第１および第２規制壁の対称中心から前記電池の幅方向の外側に向かって高さが高くなる傾斜部をさらに含む、請求項１〜８のいずれか一項に記載の電池トレイ。
【請求項１０】
前記開口部と前記収納部とは、分離可能に構成されている、請求項１〜９のいずれか一項に記載の電池トレイ。
【発明の詳細な説明】
【技術分野】
【０００１】
本発明は、電池トレイに関し、より詳しくは電池の製造工程において電池を収納するために用いられる電池トレイに関する。
【背景技術】
【０００２】
電池の製造工程において、多数の電池を取り扱うために電池トレイが用いられる。電池トレイは、電池の運搬や保管に用いられるが、電池を収納したまま、製造工程を進められる構成であることが好ましい。
【０００３】
電池の化成（充電）工程では、電池の上下端子に電極を押し立てて充電する。多数の電池を電池トレイに収納したまま化成工程を行う場合、それぞれの電池の上下端子と電極とを接触させるために位置規制が必要である。そのため、外形寸法の異なる多品種の電池を製造する場合、電池の品種ごとに専用の電池トレイが必要になる。これによって、電池の品種ごとに電池トレイを切り替える必要が生じ、工程管理が煩雑になる。
【０００４】
特開２００８−１３３０４６号公報（特許文献１）、特開２００９−２１８０７７号公報（特許文献２）、および特開２０１１−１４８５２３号公報（特許文献３）には、一つのトレイで厚さの異なる多品種の電池を収納可能な電池トレイが開示されている。
【先行技術文献】
【特許文献】
【０００５】
【特許文献１】特開２００８−１３３０４６号公報
【特許文献２】特開２００９−２１８０７７号公報
【特許文献３】特開２０１１−１４８５２３号公報
【発明の概要】
【発明が解決しようとする課題】
【０００６】
上記特許文献１〜３に開示された電池トレイは、幅が一定で、厚さの異なる多品種の電池を収納することができる。しかし近年、薄型の携帯機器の普及によって、厚さはほぼ一定で、幅の異なる多品種の電池の需要が増加している。上記特許文献１〜３には、幅の異なる多品種の電池を収納する電池トレイについては、開示されていない。
【０００７】
本発明の目的は、寸法の異なる多品種の電池を収納できる電池トレイを提供することである。
【課題を解決するための手段】
【０００８】
ここに開示する電池トレイは、寸法の異なる多品種の電池を収納可能な電池トレイであって、開口部と、前記開口部の下方に配置された収納部とを備える。前記開口部は、平面視において点対称に形成された第１および第２規制壁を含み、前記収納部は、平面視において点対称に形成された第１および第２載置部を含む。前記第１および第２規制壁の対称中心と、前記第１および第２載置部の対称中心とは、平面視において一致しており、前記第１載置部と前記第２載置部との間隔は、前記開口部に向かうにつれて広がっている。前記第１規制壁は、前記電池の幅方向の一方側である第１幅方向側において、前記電池の厚さ方向の一方側である第１厚さ方向側で前記電池と接し、前記第２規制壁は、前記第１幅方向側と反対側の第２幅方向側において、前記第１厚さ方向側の反対側である第２厚さ方向側で前記電池と接する。前記第１載置部は、前記第１幅方向側において、前記第２厚さ方向側で前記電池と接し、前記第２載置部は、前記第２幅方向側において、前記第１厚さ方向側で前記電池と接する。
【発明の効果】
【０００９】
上記の構成によれば、収納部に形成された第１載置部と第２載置部との間隔は、開口部に向かうにつれて広がっている。これによって、任意の幅または厚さの電池を、第１および第２載置部に接触させることができる。具体的には、電池を平面視で回転させることによって、電池の底面が第１および第２載置部のそれぞれと接するように配置することができる。
【００１０】
このとき、第１および第２載置部からは、電池を回転させようとする力が作用する。しかし上記の構成によれば、第１規制壁は、第１幅方向側において、第１厚さ方向側で電池と接し、第１載置部は、第１幅方向側において、第２厚さ方向側で電池と接する。同様に、第２規制壁は、第２幅方向側において、第２厚さ方向側で電池と接し、第２載置部は、第２幅方向側において、第１厚さ方向側で電池と接する。これによって、規制壁から電池に作用するモーメントの方向と、載置部から電池に作用するモーメントの方向が、平面視において反対になる。したがって、電池の回転が規制され、電池は安定して支持される。
【００１１】
本発明によれば、寸法の異なる多品種の電池を収納できる電池トレイが得られる。
【図面の簡単な説明】
【００１２】
【図１】図１は、本発明の第１の実施形態にかかる電池トレイの概略構成を示す分解斜視図である。
【図２】図２は、１つの開口部を抜き出して示す平面図である。
【図３】図３は、図２のＩＩＩ−ＩＩＩ線に沿った断面図である。
【図４】図４は、１つの収納部を抜き出して示す平面図である。
【図５】図５は、図４のＶ−Ｖ線に沿った断面図である。
【図６】図６は、図４の中心線ＣＬ１に沿った断面を模式的に示す斜視図である。
【図７】図７は、電池トレイに収納される電池の概略構成を模式的に示す斜視図である。
【図８】図８は、電池トレイに、電池を収納した状態を示す平面図である。
【図９】図９は、図８におけるＡ−Ａ線、Ｂ−Ｂ線、およびＣ−Ｃ線に沿った断面図である。
【図１０】図１０は、電池トレイに、電池を収納した状態を示す平面図である。
【図１１】図１１は、化成工程を説明するための図であって、図８のＢ−Ｂ線に沿った断面図である。
【図１２】図１２は、電池トレイに、図８よりも幅の小さい電池を挿入した直後の状態を示す平面図である。
【図１３】図１３は、図１２におけるＡ−Ａ線、Ｂ−Ｂ線、およびＣ−Ｃ線に沿った断面図である。
【図１４】図１４は、電池トレイに、図８よりも幅の小さい電池を収納した状態を示す平面図である。
【図１５】図１５は、電池トレイに、４種類の電池を収納した場合を模式的に示す平面図である。
【図１６】図１６は、図１５のＸＶＩ−ＸＶＩ線に沿った断面図である。
【図１７】図１７は、電池トレイに、７種類の電池を収容した場合の、電池のｚ方向の変位Δｈ、および角度θの値を示す表である。
【図１８】図１８は、電池トレイに、図８よりも厚さの薄い電池を収納した状態を示す平面図である。
【図１９】図１９は、電池トレイに、幅の異なる４種類の電池を収納した状態を示す平面図である。
【図２０】図２０は、電池トレイに、厚さの異なる２種類の電池を収納した状態を示す平面図である。
【図２１】図２１は、本発明の第２の実施形態にかかる電池トレイが備える収納部を抜き出して示す平面図である。
【図２２】図２２は、図２１の中心線ＣＬ１に沿った断面を模式的に示す斜視図である。
【図２３】図２３は、本発明の第２の実施形態にかかる電池トレイに、電池を挿入した直後の状態を示す平面図である。
【図２４】図２４は、本発明の第２の実施形態にかかる電池トレイに、電池を収納した状態を示す平面図である。
【図２５】図２５は、図２４における電池の幅方向に沿った断面図である。
【図２６】図２６は、本発明の第３の実施形態にかかる電池トレイが備える開口部を抜き出して示す平面図である。
【図２７】図２７は、本発明の第３の実施形態にかかる電池トレイが備える収納部を抜き出して示す平面図である。
【図２８】図２８は、図２７の中心線ＣＬ１に沿った断面を模式的に示す斜視図である。
【図２９】図２９は、電池トレイに、電池を収納した状態を示す平面図である。
【図３０】図３０は、図２９におけるＡ−Ａ線、およびＢ−Ｂ線に沿った断面図である。
【図３１】図３１は、電池トレイに、電池を収納した状態を示す平面図である。
【図３２】図３２は、電池トレイに、図２９よりも幅の小さい電池を挿入した直後の状態を示す平面図である。
【図３３】図３３は、電池トレイに、図２９よりも幅の小さい電池を収納した状態を示す平面図である。
【図３４】図３４は、電池トレイに、図２９よりも厚さの薄い電池を収納した状態を示す平面図である。
【図３５】図３５は、電池トレイに、幅の異なる３種類の電池９を収納した場合を示す平面図である。
【図３６】図３６は、電池トレイに、図３５とは別の厚さの電池であって、幅の異なる３種類の電池を収納した場合を示す平面図である。
【図３７】図３７は、電池トレイに、図３５および図３６とは別の厚さの電池であって、幅の異なる３種類の電池を収納した場合を示す平面図である。
【図３８】図３８は、電池トレイに、厚さの異なる３種類の電池を収納した場合を示す平面図である。
【発明を実施するための形態】
【００１３】
以下、図面を参照し、本発明の実施の形態を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００１４】
［第１の実施形態］
図１は、本発明の第１の実施形態にかかる電池トレイ１の概略構成を示す分解斜視図である。電池トレイ１は、第１トレイ１０と、第２トレイ２０とを備えている。第１トレイ１０および第２トレイ２０は、例えば難燃性の樹脂材料で形成され、例えば射出成型によって製造される。
【００１５】
第１トレイ１０は、概略板状形状である。第２トレイ２０は、直方体の周縁部が壁に囲まれた形状である。第１トレイ１０は、第２トレイ２０に嵌合するように形成されている。これによって、第１トレイ１０と第２トレイ２０とは、着脱可能に構成されている。
【００１６】
第１トレイ１０には、複数の開口部１１が形成されている。開口部１１のそれぞれは、第１トレイ１０を貫通している。第２トレイ２０には、複数の収納部２１が、複数の開口部１１のそれぞれと連続するように形成されている。電池トレイ１は、複数の開口部１１のそれぞれから電池を挿入して、複数の収納部２１のそれぞれに電池を収納できるように構成されている。
【００１７】
以下では、図１に示すように、水平面内において互いに直交する２つの方向をｘ方向およびｙ方向と呼び、水平面と垂直な方向をｚ方向と呼ぶ。
【００１８】
図２は、１つの開口部１１を抜き出して示す平面図である。図３は、図２のＩＩＩ−ＩＩＩ線に沿った断面図である。
【００１９】
開口部１１は、規制壁１１１Ａ（第１規制壁）、規制壁１１１Ｂ（第２規制壁）、規制壁１１１Ｃ（第３規制壁）、および規制壁１１１Ｄ（第４規制壁）を含んでいる。後述するように、規制壁１１１Ａおよび１１１Ｂは、電池のｚ軸まわりの回転を規制し、規制壁１１１Ｃおよび１１１Ｄは、電池の厚さ方向の位置を規制する。規制壁１１１Ａと１１１Ｂとは、平面視において、点Ｃ１を中心に点対称に形成されている。規制壁１１１Ｃおよび１１１Ｄは、平面視において、互いに平行な直線の一部として形成されている。
【００２０】
規制壁１１１Ｃおよび規制壁１１１Ｄに垂直な方向における規制壁１１１Ｃと規制壁１１１Ｄとの間の間隔は、電池の厚さに概略等しくなるように形成されている。より具体的には、電池を規制壁１１１Ｃおよび１１１Ｄに平行にした状態で、開口部１１に電池を抜き差しができ、かつ、電池のがたつきが生じない程度の大きさであることが好ましい。
【００２１】
開口部１１のｚ方向プラス側には、電池をスムーズに挿入できるように、テーパー部１１ａが形成されている。開口部１１は、テーパー部１１ａでは、ｚ方向プラス側に向かって幅が広がるように形成されている。開口部１１は、テーパー部１１ａ以外の部分では、断面がｚ方向と概略平行になるように形成されている。
【００２２】
図４は、１つの収納部２１を抜き出して示す平面図である。図５は、図４のＶ−Ｖ線に沿った断面図である。図６は、図４の中心線ＣＬ１に沿った断面を模式的に示す斜視図である。
【００２３】
収納部２１は、傾斜面２１１Ａおよび２１１Ｂと、貫通孔２１２とを含んでいる。傾斜面２１１Ａと２１１Ｂとは、平面視において、点Ｃ２を中心に互いに点対称に形成されている。なお本実施形態では、傾斜面２１１Ａと２１１Ｂとは、平面視において、中心線ＣＬ１に対して線対称になっているが、この構成は必須ではない。
【００２４】
傾斜面２１１Ａと２１１Ｂとの間隔は、ｚ方向プラス側に向かうにつれて、すなわち、開口部１１に向かうにつれて広がっている。
【００２５】
貫通孔２１２は、点Ｃ２を中心に形成され、第２トレイ２０をｚ方向に貫通している。
【００２６】
既述のように、第１トレイ１０は、第２トレイ２０に嵌合するように形成されている。これによって、第１トレイ１０と第２トレイ２０との位置合わせが行われる。電池トレイ１は、点Ｃ１と点Ｃ２とが平面視において一致するように形成されている。すなわち、規制壁１１１Ａおよび１１１Ｂの対称中心と、傾斜面２１１Ａおよび２１１Ｂの対称中心とが、平面視において一致するように形成されている。
【００２７】
次に、電池トレイ１の使用方法について説明する。
【００２８】
図７は、電池トレイ１に収納される電池９の概略構成を模式的に示す斜視図である。電池９は、互いに平行に形成された一対の主面９１と、一対の側面９２と、上面９３と、底面９４とを備えている。上面９３には、上部端子９５が形成され、底面９４には下部端子９６が形成されている。
【００２９】
電池９は、主面９１同士間の距離に比べて側面９２同士間の距離が長い、偏平形状である。本明細書では、上面９３および底面９４に平行で、かつ、主面９１に平行な方向を、電池９の幅方向Ｄ１と呼んで参照する。また、この方向の寸法を電池９の幅Ｌと呼んで参照する。同様に、主面９１と垂直な方向を電池９の厚さ方向Ｄ２と呼び、この方向の寸法を電池９の厚さｔと呼んで参照する。
【００３０】
電池９の側面９２は、半円筒形状である。しかし、電池トレイ１が収容できる電池は、このような形状の電池に限定されない。
【００３１】
図８は、電池トレイ１に、電池９を収納した状態を示す平面図である。図９は、図８におけるＡ−Ａ線、Ｂ−Ｂ線、およびＣ−Ｃ線に沿った断面図である。図８および図９は、電池トレイ１が収納できる電池のうち、幅Ｌが最大の電池を収納した場合を示している。
【００３２】
既述のように、規制壁１１１Ｃと規制壁１１１Ｄとの間隔は、電池９の厚さｔと概略等しい。このため図８に示すように、電池９は規制壁１１１Ｃおよび１１１Ｄに挟まれ、厚さ方向Ｄ２の位置が規制されている。
【００３３】
以下では、電池９の上面９３の中心と底面９４の中心とを結ぶ線を、電池９の中心軸と呼ぶ。電池９は、中心軸とｚ方向とが平行になるように収納されている。すなわち、電池９は、直立状態で収納されている。図８では、電池９の中心軸と、規制壁１１１Ａおよび１１１Ｂの対称中心とが、平面視において一致している。なお、図８の角度θは、幅方向Ｄ１とｘ方向とがなす角度である。
【００３４】
このとき、規制壁１１１Ａは電池９と点Ｐ１で接し、規制壁１１１Ｂは電池９と点Ｐ２で接している。図９に示すように、傾斜面２１１Ａは電池９と点Ｐ３で接し、傾斜面２１１Ｂは電池９と点Ｐ４で接している。なお厳密には、点Ｐ１はＡ−Ａ線上にはなく、点Ｐ２はＣ−Ｃ線上にはない。
【００３５】
図９に示すように、点Ｐ３では、傾斜面２１１Ａを滑って方向ｄ１に動こうとする力が電池９に作用する。同様に、点Ｐ４では、傾斜面２１１Ｂを滑って方向ｄ２に動こうとする力が電池９に作用する。これらの力の合力は、平面視において、角度θが減少する方向へ電池９を回転させようとする力として電池９に作用する。一方、角度θが減少する方向への電池９の回転は、図８に示すように、規制壁１１１Ａおよび１１１Ｂによって規制されている。これによって、電池９は、安定して支持されている。
【００３６】
図１０を参照して、より詳しく説明する。以下では、電池９の幅方向Ｄ１のプラス側およびマイナス側を、規制壁１１１Ａおよび１１１Ｂの対称中心を原点として定義する。同様に、厚さ方向Ｄ２のプラス側およびマイナス側を、規制壁１１１Ａおよび１１１Ｂの対称中心を原点として定義する。規制壁１１１Ａは、幅方向Ｄ１のマイナス側において、厚さ方向Ｄ２のプラス側の点Ｐ１で、電池９と接している。規制壁１１１Ｂは、幅方向Ｄ１のプラス側において、厚さ方向Ｄ２のマイナス側の点Ｐ２で、電池９と接している。傾斜面２１１Ａは、幅方向Ｄ１のマイナス側において、厚さ方向Ｄ２のマイナス側の点Ｐ３で、電池９と接している。傾斜面２１１Ｂは、幅方向Ｄ１のプラス側において、厚さ方向Ｄ２のプラス側の点Ｐ４で、電池９と接している。
【００３７】
これによって、規制壁１１１Ａおよび１１１Ｂから電池９に作用するモーメントの方向と、傾斜面２１１Ａおよび２１１Ｂから電池９に作用するモーメントの方向が、平面視において反対になる。したがって、電池９の回転が規制され、安定して支持される。
【００３８】
なお図１０では、規制壁１１１Ｃは、幅方向Ｄ１のマイナス側において、厚さ方向Ｄ２のマイナス側で、電池９と接している。また、規制壁１１１Ｄは、幅方向Ｄ１のプラス側において、厚さ方向Ｄ２のプラス側で、電池９と接している。しかし規制壁１１１Ｃおよび１１１Ｄがない場合でも、上述のように規制壁１１１Ａおよび１１１Ｂ、ならびに傾斜面２１１Ａおよび２１１Ｂによって、電池９を安定して支持することが可能である。
【００３９】
次に図１１を参照して、化成工程について説明する。図１１は、図８のＢ−Ｂ線に沿った断面図である。図１１（ａ）に示すように、化成工程では設備機器から電極９０１および９０２が、電池トレイ１に収納された電池９のｚ方向両側から近づく。電極９０２は、貫通孔２１２を通って電池９の下部端子９６に接する。電極９０１は、電池９の上部端子９５に接する。図１１（ｂ）に示すように、電池９はｚ方向プラス側に持ち上げられ、この状態で充電される。充電が終了すると、電極９０１および電極９０２は上記とは反対方向に移動し、電池９は再び電池トレイ１に収納される。
【００４０】
このように、化成工程を行うためには、電極９０１と上部端子９５とが接し、電極９０２と下部端子９６とが接するように、電池９が位置決めされていることが好ましい。そのためには、電池９の中心軸と貫通孔２１２の中心とが、平面視において一致していれば良い。すなわち、電池９の中心軸と、傾斜面２１１Ａおよび２１１Ｂの対称中心とが、平面視において一致していれば良い。電池トレイ１は、以下に説明するように、幅の異なる電池９を収納する場合であっても、このように位置決めされた状態を保って電池９を収納することができる。
【００４１】
図１２は、電池トレイ１に、図８よりも幅の小さい電池９を挿入した直後の状態を示す平面図である。図１３は、図１２におけるＡ−Ａ線、Ｂ−Ｂ線、およびＣ−Ｃ線に沿った断面図である。
【００４２】
まず電池９を、規制壁１１１Ｃおよび１１１Ｄに沿って開口部１１から挿入する。これによって、図１２に示すように、幅方向Ｄ１とｘ軸とがなす角度θが図８と同じ角度になる。
【００４３】
電池９は、電池９の中心軸と、規制壁１１１Ａおよび１１１Ｂの対称中心とが、平面視において一致するように挿入される。ここで、規制壁１１１Ｃおよび１１１Ｄによって、電池９の厚さ方向Ｄ２の位置が規制されている。電池９の厚さｔと、規制壁１１１Ｃおよび１１１Ｄの間隔が等しい場合、電池９の厚さ方向Ｄ２の位置は一意に定まる。この場合、電池９の中心軸と、規制壁１１１Ａおよび１１１Ｂの対称中心とは、厚さ方向Ｄ２において一致している。したがって、これらが幅方向Ｄ１においても一致するように、電池９を挿入すれば良い。
【００４４】
図１３に示すように、傾斜面２１１Ａは電池９と点Ｐ５で接し、傾斜面２１１Ｂは電池９と点Ｐ６で接している。点Ｐ５では方向ｄ３に動こうとする力が電池９に作用し、点Ｐ６では方向ｄ４に動こうとする力が電池９に作用する。これらの力の合力は、平面視において、角度θが減少する方向へ回転しようとする力として電池９に作用する。
【００４５】
図１２に示すように、電池９と規制壁１１１Ａおよび１１１Ｂとの間には隙間がある。そのため電池９は、角度θが減少する方向へ回転する。そして電池９の回転は、図１４に示すように、電池９が規制壁１１１Ａおよび１１１Ｂに接することで停止する。
【００４６】
図１４を参照して、規制壁１１１Ａは、幅方向Ｄ１のマイナス側において、厚さ方向Ｄ２のプラス側の点Ｐ７で、電池９と接している。規制壁１１１Ｂは、幅方向Ｄ１のプラス側において、厚さ方向Ｄ２のマイナス側の点Ｐ８で、電池９と接している。傾斜面２１１Ａは、幅方向Ｄ１のマイナス側において、厚さ方向Ｄ２のマイナス側の点Ｐ９で、電池９と接している。傾斜面２１１Ｂは、幅方向Ｄ１のプラス側において、厚さ方向Ｄ２のプラス側の点Ｐ１０で、電池９と接している。これによって、電池９は、安定して支持される。
【００４７】
このように、本実施形態にかかる電池トレイ１によれば、幅の異なる多品種の電池９を、直立状態で収納することができる。さらに、開口部１１に電池９を同一の角度で挿入すると、自動的に所定の角度だけ回転して収納される。この間、電池９の中心軸と、傾斜面２１１Ａおよび２１１Ｂの対称中心とが、平面視において一致した状態が保たれている。すなわち電池９は、化成工程において、電極９０１と上部端子９５とが接し、電極９０２と下部端子９６とが接するように位置決めされた状態に保たれている。
【００４８】
ここで、規制壁１１１Ｃの内側の端点１１１Ｃａ、および規制壁１１１Ｄの内側の端点１１１Ｄａは、図１４では、厳密には電池９と接していない。しかし、端点１１１Ｃａおよび１１１Ｄａは、電池９の中心軸と規制壁１１１Ａおよび１１１Ｂの対称中心とがずれた際に、電池９と接して回転軸のずれを修正する。したがって、端点１１１Ｃａおよび１１１Ｄａは、規制壁１１１Ａおよび１１１Ｂの対称中心の近くに形成されていることが好ましい。すなわち、規制壁１１１Ｃおよび１１１Ｄは、規制壁１１１Ａおよび１１１Ｂの対称中心の近くまで形成されていることが好ましい。
【００４９】
次に、図１５〜図１７を参照して、電池トレイ１の設計の一例を示す。
【００５０】
図１５は、電池トレイ１に、厚さｔ＝５ｍｍ、幅Ｌ＝４５，５５，６５，７５ｍｍの４種類の電池９を収納した場合を示す平面図である。図１６は、図１５のＸＶＩ−ＸＶＩ線に沿った断面図である。図１５および図１６は、４種類の電池９を収納した状態を重ね合わせて、二点鎖線で模式的に図示している。
【００５１】
図１５および図１６では、４種類の電池が収納された状態を図示しているが、電池トレイ１は、４５〜７５ｍｍの間の任意の幅Ｌの電池９を収納することができる。
【００５２】
図１７は、電池トレイ１に、厚さｔ＝５ｍｍ、幅Ｌ＝４５，５０，５５，６０，６５，７０，７５の７種類の電池を収容した場合の、電池９のｚ方向の変位Δｈ、および角度θの値を示す表である。変位Δｈは、図１６に示すように、幅Ｌ＝４５ｍｍの電池９の底面を基準高さとしたときの、電池９の底面と基準高さとの差である。角度θは、電池９の幅方向Ｄ１とｘ方向とがなす角度である。
【００５３】
この電池トレイ１では、変位Δｈは最大で４ｍｍである。化成工程（図１１）において、電極９０１および９０２のストロークは有限であるため、変位Δｈは、小さい方が好ましい。変位Δｈは、好ましくは６ｍｍ以下であり、より好ましくは４ｍｍ以下である。変位Δｈを小さくするためには、傾斜面２１１Ａおよび２１１Ｂの傾斜角度αを小さくすれば良い。ここで、傾斜角度αは、図１６に示すように、傾斜面２１１Ａ（２１１Ｂ）とｘｙ面がなす角度である。
【００５４】
一方、傾斜角度αが大きいほど、電池９を回転させる力が大きくなる。これによって電池９は、よりスムーズに収納される。そのため、傾斜角度αは、好ましくは４５°以上である。
【００５５】
電池９の幅Ｌの変化に対して角度θの変化が小さくなるように規制壁１１１Ａおよび１１１Ｂを形成すれば、変位Δｈは小さくなる。一方、電池９の幅Ｌの変化に対して角度θの変化が大きくなるように規制壁１１１Ａおよび１１１Ｂを形成すれば、電池９がよりスムーズに収納されるようになる。
【００５６】
既述のように、端点１１１Ｃａと端点１１１Ｄａとの間隔は、小さい方が好ましい。一方、厚さｔの電池９を挿入できるようにするためには、この間隔は、ｔ／ｃｏｓΔθ以上である必要がある。ここでΔθは、電池トレイ１に収納できる最大の幅（上記の例ではＬ＝７５ｍｍ）の電池９を収納した場合の電池の幅方向Ｄ１と、電池トレイ１に収納できる最小の幅（上記の例ではＬ＝４５ｍｍ）の電池９を収納した場合の電池の幅方向Ｄ１とのなす角度（上記の例では６．６°）である。
【００５７】
本実施形態ではさらに、厚さの異なる多品種の電池９を収納することができる。図１８は、本実施形態にかかる電池トレイに、図８よりも厚さの薄い電池９を収納した状態を示す平面図である。
【００５８】
図１８を参照して、規制壁１１１Ａは、幅方向Ｄ１のマイナス側において、厚さ方向Ｄ２のプラス側の点Ｐ１１で、電池９と接している。規制壁１１１Ｂは、幅方向Ｄ１のプラス側において、厚さ方向Ｄ２のマイナス側の点Ｐ１２で、電池９と接している。傾斜面２１１Ａは、幅方向Ｄ１のマイナス側において、厚さ方向Ｄ２のマイナス側の点Ｐ１３で、電池９と接している。傾斜面２１１Ｂは、幅方向Ｄ１のプラス側において、厚さ方向Ｄ２のプラス側の点Ｐ１４で、電池９と接している。これによって、電池９は、安定して支持される。
【００５９】
図１９は、電池トレイ１に、厚さｔ＝３ｍｍ、幅Ｌ＝４５，５５，６５，７５ｍｍの４種類の電池９を収納した場合を示す平面図である。図１９は、４種類の電池９を収納した状態を重ね合わせて、二点鎖線で模式的に図示している。図１９では、４種類の電池が収納された状態を図示しているが、電池トレイ１は、４５〜７５ｍｍの間の任意の幅Ｌの電池９を収納することができる。
【００６０】
図２０は、電池トレイ１に、厚さｔ＝５ｍｍ、幅Ｌ＝４５ｍｍの電池９と、厚さｔ＝３ｍｍ、幅Ｌ＝４５ｍｍの電池９とを収納した場合を示す平面図である。このように、電池トレイ１は、幅Ｌが一定で厚さｔの異なる多品種の電池を収納することも可能である。
【００６１】
以上、本発明の第１の実施形態にかかる電池トレイ１の構成および使用方法について説明した。
【００６２】
本実施形態では、第１トレイ１０と第２トレイ２０とは着脱可能に構成されている。そのため、例えば第２トレイ２０を共通として、開口部１１の形状が異なる複数の第１トレイ１０を準備することで、より多くの電池９の品種に対応することができる。例えば収納する電池９の厚さｔの範囲を変更したり、幅Ｌの範囲を変更したりすることが可能である。もっとも、第１トレイ１０と第２トレイ２０とは、一体的に成型されていても良い。
【００６３】
規制壁１１１Ａおよび１１１Ｂは、図１５に示すように、電池９の幅Ｌが大きくなるにつれて、規制壁１１１Ａおよび１１１Ｂの対称中心から遠くの点において電池９と接するように形成されていることが好ましい。本実施形態では、規制壁１１１Ａおよび１１１Ｂは、平面視で直線状に形成されている。しかし、規制壁１１１Ａおよび１１１Ｂは任意の形状を取り得る。ただし、規制壁１１１Ａおよび１１１Ｂは、平面視において、直線または滑らか曲線であることが好ましい。規制壁１１１Ａおよび１１１Ｂを滑らかにすることによって、収納できる電池の幅Ｌを連続的な値にできるからである。
【００６４】
本実施形態では、規制壁１１１Ｃおよび１１１Ｄは、平面視において、互いに平行な直線の一部として形成されている。しかし、規制壁１１１Ｃおよび１１１Ｄの形状は任意であり、電池９の厚さ方向Ｄ２の位置を規制するように形成されていれば良い。そのためには、規制壁１１１Ｃは、幅方向Ｄ１のマイナス側において、厚さ方向Ｄ２のマイナス側で、電池９と接するように形成されていれば良い。また、規制壁１１１Ｄは、幅方向Ｄ１のプラス側において、厚さ方向Ｄ２のプラス側で、電池９と接するように形成されていれば良い。
【００６５】
傾斜面２１１Ａおよび２１１Ｂは、互いに点対称に形成されていれば形状は任意である。本実施形態では傾斜面２１１Ａおよび２１１Ｂは平面であるが、傾斜面２１１Ａおよび２１１Ｂは曲面であっても良い。より具体的には、傾斜面２１１Ａおよび２１１Ｂのｘｙ断面、ｘｚ断面、およびｙｚ断面の１つ以上において、輪郭に曲線が含まれていても良い。また、傾斜面２１１Ａおよび２１１Ｂは、電池９と接する箇所にだけ形成されていれば良い。ただし、幅Ｌの小さい電池９を収納できるように、傾斜面２１１Ａおよび２１１Ｂの少なくとも一部は、規制壁１１１Ａおよび１１１Ｂよりも規制壁１１１Ａおよび１１１Ｂの対称中心側に形成されていることが好ましい。
【００６６】
［第２の実施形態］
本発明の第２の実施形態にかかる電池トレイは、電池トレイ１の収納部２１に代えて、収納部２２を備えている。図２１は、１つの収納部２２を抜き出して示す平面図である。図２２は、図２１の中心線ＣＬ１に沿った断面を模式的に示す斜視図である。
【００６７】
収納部２２は、収納部２１の構成に加えて、ｘ方向の両側に形成された傾斜部２１３Ａおよび２１３Ｂをさらに含んでいる。
【００６８】
傾斜部２１３Ａおよび２１３Ｂは、点Ｃ２からｘ方向外側に向かって、高さが高くなっている。すなわち、点Ｃ２を原点としてｘ方向マイナス側に形成された傾斜部２１３Ａは、ｘ方向マイナス側に向かって高さが高くなっており、ｘ方向プラス側に形成された傾斜部２１３Ｂは、ｘ方向プラス側に向かって高さが高くなっている。
【００６９】
図２３を参照して、本実施形態の効果を説明する。図２３は、本実施形態にかかる電池トレイに、電池９を挿入した直後の状態を示す平面図である。図２３では、第１トレイ１０は図示せず、開口部１１を破線で示している。
【００７０】
図２３では、電池９の中心軸は、規制壁１１１Ａおよび１１１Ｂの対称中心から、電池９の幅方向Ｄ１にずれている。このとき、傾斜部２１３Ｂは、点Ｐ１５において電池９と接している。
【００７１】
電池９には、点Ｐ１５において傾斜部２１３Ｂから、平面視においてｘ方向マイナス側に動かそうとする力が作用する。すなわち電池９に、電池９の中心軸と、規制壁１１１Ａおよび１１１Ｂの対称中心とを平面視において一致させる力が作用する。
【００７２】
本実施形態によれば、電池９の幅方向Ｄ１のずれを修正することができる。
【００７３】
図２４は、本実施形態にかかる電池トレイに、電池９を収納した状態を示す平面図である。図２５は、図２４における電池９の幅方向Ｄ１に沿った断面図である。図２４に示すように、規制壁１１１Ａは電池９と点Ｐ１６で接し、規制壁１１１Ｂは電池９と点Ｐ１７で接している。傾斜面２１１Ａは電池９と点Ｐ１８で接し、傾斜面２１１Ｂは電池９と点Ｐ１９で接している。本実施形態ではさらに、傾斜部２１３Ａが電池９と点Ｐ２０で接し、傾斜部２１３Ｂが電池９と点Ｐ２１で接している。
【００７４】
このように、本実施形態によれば、第１の実施形態よりも電池トレイと電池９との接触箇所が増える。そのため、第１の実施形態よりも安定して電池９の収納状態を保つことができる。
【００７５】
本実施形態では、傾斜部２１３Ａおよび２１３Ｂは、平面状に形成されている。しかし、傾斜部２１３Ａおよび２１３Ｂは曲面であっても良い。より具体的には、傾斜部２１３Ａおよび２１３Ｂのｘｙ断面、ｘｚ断面、およびｙｚ断面の１つ以上において、輪郭に曲線が含まれていても良い。
【００７６】
［第３の実施形態］
本発明の第３の実施形態にかかる電池トレイは、電池トレイ１の開口部１１に代えて開口部１２を備え、収納部２１に代えて収納部２３を備えている。
【００７７】
図２６は、１つの開口部１２を抜き出して示す平面図である。開口部１２は、電池トレイ１の開口部１１と寸法だけが異なり、構成は同じである。
【００７８】
図２７は、１つの収納部２３を抜き出して示す平面図である。図２８は、図２７の中心線ＣＬ１に沿った断面を模式的に示す斜視図である。
【００７９】
収納部２３は、収納部２１の傾斜面２１１Ａおよび２１１Ｂ（図４〜図６を参照）に代えて、錐体部２１４Ａおよび２１４Ｂを含んでいる。錐体部２１４Ａと錐体部２１４Ｂとは、平面視において、点Ｃ２を中心に点対称に形成されている。
【００８０】
錐体部２１４Ａおよび２１４Ｂは、図２８に示すように、円錐の一部を抜き出した形状をしている。これによって、錐体部２１４Ａの表面と錐体部２１４Ｂの表面との間の間隔は、ｚ方向プラス側に向かうにつれて、すなわち開口部１２に向かうにつれて広がっている。
【００８１】
錐体部２１４Ａおよび２１４Ｂは、より具体的には、円錐のｚ方向の一部を抜き出した形状（円錐台）であり、さらに、この形状のｘｙ面内の一部を抜き出した形状である。錐体部２１４Ａおよび２１４Ｂは、電池に接する部分のみが形成されていれば良い。
【００８２】
図２９は、本実施形態にかかる電池トレイに、電池９を収納した状態を示す平面図である。図３０は、図２９におけるＡ−Ａ線、およびＢ−Ｂ線に沿った断面図である。なお、Ａ−Ａ線は、錐体部２１４Ａの仮想的な中心を通り、電池９の厚さ方向Ｄ２に平行な線である。Ｂ−Ｂ線は、錐体部２１４Ｂの仮想的な中心を通り、電池９の厚さ方向Ｄ２に平行な線である。
【００８３】
図２９および図３０は、本実施形態にかかる電池トレイに収納できる電池のうち、厚さｔおよび幅Ｌが最大の電池を収納した場合を示している。本実施形態においても、規制壁１１１Ｃと規制壁１１１Ｄとの間隔は、電池９の厚さｔと概略等しい。このため図２９に示すように、電池９は規制壁１１１Ｃおよび１１１Ｄに挟まれ、厚さ方向Ｄ２の位置が規制されている。なお、図２９の角度θは、幅方向Ｄ１とｘ方向とがなす角度である。
【００８４】
図２９に示すように、規制壁１１１Ａは電池９と点Ｐ２２で接し、規制壁１１１Ｂは電池９と点Ｐ２３で接している。図３０に示すように、錐体部２１４Ａは電池９と点Ｐ２４で接し、錐体部２１４Ｂは電池９と点Ｐ２５で接している。
【００８５】
図３０に示すように、点Ｐ２４では、錐体部２１４Ａを滑って方向ｄ５に動こうとする力が電池９に作用する。同様に、点Ｐ２５では、錐体部２１４Ｂを滑って方向ｄ６に動こうとする力が電池９に作用する。これらの力の合力は、平面視において、角度θが減少する方向へ回転しようとする力として電池９に作用する。一方、角度θが減少する方向への電池９の回転は、図２９に示すように、規制壁１１１Ａおよび１１１Ｂによって規制されている。これによって、電池９は、安定して支持されている。
【００８６】
この場合も図３１に示すように、規制壁１１１Ａは、幅方向Ｄ１のマイナス側において、厚さ方向Ｄ２のプラス側の点Ｐ２２で、電池９と接している。規制壁１１１Ｂは、幅方向Ｄ１のプラス側において、厚さ方向Ｄ２のマイナス側の点Ｐ２３で、電池９と接している。錐体部２１４Ａは、幅方向Ｄ１のマイナス側において、厚さ方向Ｄ２のマイナス側の点Ｐ２４で、電池９と接している。錐体部２１４Ｂは、幅方向Ｄ１のプラス側において、厚さ方向Ｄ２のプラス側の点Ｐ２５で、電池９と接している。これによって、電池９は、安定して支持される。
【００８７】
図３２は、本実施形態にかかる電池トレイに、図２９よりも幅の小さい電池９を挿入した直後の状態を示す平面図である。本実施形態においても、電池９を、規制壁１１１Ｃおよび１１１Ｄに沿って開口部１２から挿入する。これによって、幅方向Ｄ１とｘ軸とがなす角度θが図２９と同じ角度になる。また、電池９の厚さ方向Ｄ２の位置が規制され、電池９の中心軸と、規制壁１１１Ａおよび１１１Ｂの対称中心とが、厚さ方向Ｄ２において一致する。
【００８８】
このとき、錐体部２１４Ａは電池９と点Ｐ２６で接し、錐体部２１４Ｂは電池９と点Ｐ２７で接している。錐体部２１４Ａおよび２１４Ｂからは、平面視において、角度θが減少する方向へ電池９を回転させようとする力が作用する。
【００８９】
図３２に示すように、電池９と規制壁１１１Ａおよび１１１Ｂとの間には隙間がある。そのため電池９は、角度θが減少する方向へ回転する。そして電池９の回転は、図３３に示すように、電池９が規制壁１１１Ａおよび１１１Ｂに接することで停止する。
【００９０】
この場合も図３３に示すように、規制壁１１１Ａは、幅方向Ｄ１のマイナス側において、厚さ方向Ｄ２のプラス側の点Ｐ２８で、電池９と接している。規制壁１１１Ｂは、幅方向Ｄ１のプラス側において、厚さ方向Ｄ２のマイナス側の点Ｐ２９で、電池９と接している。錐体部２１４Ａは、幅方向Ｄ１のマイナス側において、厚さ方向Ｄ２のマイナス側の点Ｐ３０で、電池９と接している。錐体部２１４Ｂは、幅方向Ｄ１のプラス側において、厚さ方向Ｄ２のプラス側の点Ｐ３１で、電池９と接している。これによって、電池９は、安定して支持される。なお、点Ｐ３０は、錐体部２１４Ａの仮想的な中心を通り、電池９の厚さ方向Ｄ２に平行な線上にある。点Ｐ３１は、錐体部２１４Ｂの仮想的な中心を通り、電池９の厚さ方向Ｄ２に平行な線上にある。
【００９１】
このように、本実施形態にかかる電池トレイによっても、幅の異なる多品種の電池９を、直立状態で収納することができる。さらに、開口部１２に電池９を同一の角度で挿入すると、自動的に所定の角度だけ回転して収納される。
【００９２】
本実施形態ではさらに、厚さの異なる多品種の電池９を収納することができる。図３４は、本実施形態にかかる電池トレイに、図２９よりも厚さの薄い電池９を収納した状態を示す平面図である。
【００９３】
この場合も、規制壁１１１Ａは、幅方向Ｄ１のマイナス側において、厚さ方向Ｄ２のプラス側の点Ｐ３２で、電池９と接している。規制壁１１１Ｂは、幅方向Ｄ１のプラス側において、厚さ方向Ｄ２のマイナス側の点Ｐ３３で、電池９と接している。錐体部２１４Ａは、幅方向Ｄ１のマイナス側において、厚さ方向Ｄ２のマイナス側の点Ｐ３４で、電池９と接している。錐体部２１４Ｂは、幅方向Ｄ１のプラス側において、厚さ方向Ｄ２のプラス側の点Ｐ３５で、電池９と接している。これによって、電池９は、安定して支持される。なお、点Ｐ３４は、錐体部２１４Ａの仮想的な中心を通り、電池９の厚さ方向Ｄ２に平行な線上にある。点Ｐ３５は、錐体部２１４Ｂの仮想的な中心を通り、電池９の厚さ方向Ｄ２に平行な線上にある。
【００９４】
次に、図３５〜図３７を参照して、本実施形態にかかる電池トレイの設計の一例を示す。
【００９５】
図３５は、本実施形態にかかる電池トレイに、厚さｔ＝９ｍｍ、幅Ｌ＝４５，５５，６５ｍｍの３種類の電池９を収納した場合を示す平面図である。図３６は、本実施形態にかかる電池トレイに、厚さｔ＝７ｍｍ、幅Ｌ＝４５，５５，６５ｍｍの３種類の電池９を収納した場合を示す平面図である。図３７は、本実施形態にかかる電池トレイに、厚さｔ＝５ｍｍ、幅Ｌ＝４５，５５，６５ｍｍの３種類の電池９を収納した場合を示す平面図である。図３５〜図３７では、３種類の電池９を収納した状態を重ね合わせて、二点鎖線で模式的に図示している。
【００９６】
図３５〜図３７では、合計で９種類の電池が収納された状態を図示しているが、本実施形態にかかる電池トレイは、５〜９ｍｍの間の任意の厚さｔ、および４５〜６５ｍｍの間の任意の幅Ｌの電池９を収納することができる。
【００９７】
図３８は、本実施形態にかかる電池トレイに、厚さｔ＝９ｍｍ、幅Ｌ＝４５ｍｍの電池９と、厚さｔ＝７ｍｍ、幅Ｌ＝４５ｍｍの電池９と、厚さｔ＝５ｍｍ、幅Ｌ＝４５ｍｍの電池９とを収納した場合を示す平面図である。このように、本実施形態にかかる電池トレイは、幅Ｌが一定で厚さｔの異なる多品種の電池を収納することも可能である。
【００９８】
本実施形態においても、電池９は、ｚ方向の高さを変えながら収納される。錐体部２１４Ａおよび２１４Ｂの傾斜角度が小さいほど、収納される電池９のｚ方向の変位量が小さくなる。ここで錐体部２１４Ａ（２１４Ｂ）の傾斜角度は、錐体部２１４Ａ（２１４Ｂ）をｘｚ面に投影したとき、錐体部２１４Ａ（２１４Ｂ）の斜面がｘ方向となす角度である。一方、傾斜角度が大きいほど、電池９を回転させる力が大きくなり、電池９は、よりスムーズに収納される。
【００９９】
錐体部２１４Ａおよび２１４Ｂは、既述のように、電池９に接する部分のみが形成されていれば良い。ただし、幅Ｌの小さい電池９を収納できるように、錐体部２１４Ａおよび２１４Ｂは、平面視において規制壁１１１Ａおよび１１１Ｂよりも規制壁１１１Ａおよび１１１Ｂの対称中心側に形成されていることが好ましい。
【０１００】
本実施形態では、錐体部２１４Ａおよび２１４Ｂは、仮想的な頂点と底面の重心とが平面視で一致する、直錐体とよばれる立体の一部である。しかし、錐体部２１４Ａおよび２１４Ｂは、互いに点対称に形成されていれば、中心軸が傾斜した、斜錐体とよばれる立体の一部であってもよい。また、円錐に限らす、任意の形状の錐体の一部であっても良い。錐体部２１４Ａ（２１４Ｂ）の表面が滑らかな曲面であることが好ましい。これによって、収納できる電池の幅Ｌを連続的な値にできるからである。ただしこれは、錐体部２１４Ａおよび２１４Ｂが角錐であることを除外するものではない。例えば錐体部２１４Ａおよび２１４Ｂは三角錐であっても良い。
【０１０１】
また、錐体部２１４Ａおよび２１４Ｂは、水平面と垂直な断面において、輪郭に曲線が含まれていても良い。
【０１０２】
本実施形態においても、第１トレイ１０と第２トレイ２０とは着脱可能に構成されている。そのため、例えば第２トレイ２０を共通として、開口部１２の形状が異なる複数の第１トレイ１０を準備することで、より多くの電池９の品種に対応することができる。もっとも、第１トレイ１０と第２トレイ２０とは、一体的に成型されていても良い。
【０１０３】
［その他の実施形態］
以上、本発明についての実施形態を説明したが、本発明は上述の各実施形態にのみ限定されず、発明の範囲内で種々の変更が可能である。
【０１０４】
上記の各実施形態において例示したように、電池トレイは、一対の規制壁と、一対の載置部とによって、電池を４点で支持する。一対の載置部は、互いの間隔が、開口部に向かうにつれて広がるものであれば良い。一対の規制壁からの電池に作用するモーメントの向きと、一対の載置部から電池に作用するモーメントの向きとが反対になるように、規制壁と載置部とを配置すれば、電池は安定して支持される。
【０１０５】
したがって本発明の一実施形態にかかる電池トレイは、少なくとも以下の構成を備えていれば良い。電池トレイは、開口部と、前記開口部の下方に配置された収納部とを備える。前記開口部は、平面視において点対称に形成された第１および第２規制壁を含み、前記収納部は、平面視において点対称に形成された第１および第２載置部を含む。前記第１および第２規制壁の対称中心と、前記第１および第２載置部の対称中心とは、平面視において一致しており、前記第１載置部と前記第２載置部との間隔は、前記開口部に向かうにつれて広がっている。前記第１規制壁は、前記電池の幅方向の一方側である第１幅方向側において、前記電池の厚さ方向の一方側である第１厚さ方向側で前記電池と接し、前記第２規制壁は、前記第１幅方向側と反対側の第２幅方向側において、前記第１厚さ方向側の反対側である第２厚さ方向側で前記電池と接する。前記第１載置部は、前記第１幅方向側において、前記第２厚さ方向側で前記電池と接し、前記第２載置部は、前記第２幅方向側において、前記第１厚さ方向側で前記電池と接する。
【０１０６】
好ましくは、開口部は、収納部に収納できる電池のうち最も幅の大きい電池に第１幅方向側において第２厚さ方向側で接する第３規制壁と、この最も幅の大きい電池に第２幅方向側において第１厚さ方向側で接する第４規制壁とをさらに備える。第３および第４規制壁によれば、電池の厚さ方向の位置を規制するとともに、電池を開口部に挿入するときの角度を一定にできる。
【０１０７】
好ましくは、収納部は、電池の幅方向の両側に形成され、第１および第２規制壁の対称中心から電池の幅方向の外側に向かって高さが高くなる傾斜部をさらに含む。傾斜部によって、電池の幅方向の位置のずれを修正できる。
【０１０８】
好ましくは、開口部と収納部とは、分離可能に構成されている。これによって、より多くの電池の品種を収納可能なトレイが得られる。
【産業上の利用可能性】
【０１０９】
本発明は、電池の製造工程において電池を収納するために用いられる電池トレイとして産業上の利用が可能である。
【符号の説明】
【０１１０】
１  電池トレイ、１０  第１トレイ、１１，１２  開口部、２０  第２トレイ、２１，２２，２３  収納部、１１１Ａ，１１１Ｂ，１１１Ｃ，１１１Ｄ  規制壁、２１１Ａ，２１１Ｂ  傾斜面、２１２  貫通孔、２１３Ａ，２１３Ｂ  傾斜部、２１４Ａ，２１４Ｂ  錐体部、９  電池
【図１】
2013243049.tif 000003
【図２】
2013243049.tif 000004
【図３】
2013243049.tif 000005
【図４】
2013243049.tif 000006
【図５】
2013243049.tif 000007
【図６】
2013243049.tif 000008
【図７】
2013243049.tif 000009
【図８】
2013243049.tif 000010
【図９】
2013243049.tif 000011
【図１０】
2013243049.tif 000012
【図１１】
2013243049.tif 000013
【図１２】
2013243049.tif 000014
【図１３】
2013243049.tif 000015
【図１４】
2013243049.tif 000016
【図１５】
2013243049.tif 000017
【図１６】
2013243049.tif 000018
【図１７】
2013243049.tif 000019
【図１８】
2013243049.tif 000020
【図１９】
2013243049.tif 000021
【図２０】
2013243049.tif 000022
【図２１】
2013243049.tif 000023
【図２２】
2013243049.tif 000024
【図２３】
2013243049.tif 000025
【図２４】
2013243049.tif 000026
【図２５】
2013243049.tif 000027
【図２６】
2013243049.tif 000028
【図２７】
2013243049.tif 000029
【図２８】
2013243049.tif 000030
【図２９】
2013243049.tif 000031
【図３０】
2013243049.tif 000032
【図３１】
2013243049.tif 000033
【図３２】
2013243049.tif 000034
【図３３】
2013243049.tif 000035
【図３４】
2013243049.tif 000036
【図３５】
2013243049.tif 000037
【図３６】
2013243049.tif 000038
【図３７】
2013243049.tif 000039
【図３８】
2013243049.tif 000040